(57)【特許請求の範囲】
【請求項１】
吹出口、吸込口を備え、内部に室内ファン、室内熱交換器を収納する室内ユニットを有する空気調和機において、
室内ユニットは、吸込口を開閉する吸込口開閉機構と、吹出口を開閉する吹出口開閉機構と、室内ユニットの一側に偏った位置でかつ室内熱交換器の風上側に設けられる電気集塵機の放電電極と兼用したオゾン発生装置と、前記オゾン発生装置と反対側の室内ユニット内の側部に設けられ、室内ユニット内へ吸込む空気を室外に排気する排気装置と、この排気装置の吸込み側と前記室内熱交換器の吸込み空気に対する下流側とを連通する内部通路と、前記排気装置の吸込み側と室内もしくは前記室内熱交換器の上流側とを連通する外部通路と、内部通路と外部通路それぞれの通路を開状態と閉状態の何れかに切替える切替手段とを備え、
前記吸込口開閉機構を動作させて吸込口を閉じ、吹出口開閉機構を動作させて吹出口を閉じ、前記切替手段により内部通路を開状態とし、前記室内熱交換器の少なくとも一部を凝縮器となるように冷凍サイクルを制御するとともに排気装置を作動させて室内ユニット内部を乾燥させる乾燥運転を行なう乾燥運転制御手段と、冷凍サイクルを停止し、吸込口と吹出口を閉じ内部通路を開状態で、前記オゾン発生装置及び前記排気装置を動作させてクリーン運転を実施するクリーン運転制御手段と、換気運転指示手段を備え、この換気運転指示手段の指示が入力された時には、空調運転中、空調運転停止中のいずれの場合も前記排気装置の吸込み側に対し、前記切替手段により外部通路を開状態にすると共に内部通路を閉状態にして、前記排気装置を動作させる換気運転制御手段、とを備えたことを特徴とする空気調和機。
【請求項２】
吹出口、吸込口を備え、内部に室内ファン、室内熱交換器を収納する室内ユニットを有する空気調和機において、
室内ユニットは、吸込口を開閉する吸込口開閉機構と、吹出口を開閉する吹出口開閉機構と、室内ユニットの一側に偏った位置でかつ室内熱交換器の風上側に設けられる電気集塵機の放電電極と兼用したオゾン発生装置と、前記オゾン発生装置と反対側の室内ユニット内の側部に設けられ、室内ユニット内へ吸込む空気を室外に排気する排気装置と、この排気装置の吸込み側と前記室内熱交換器の吸込み空気に対する下流側とを連通する内部通路と、前記排気装置の吸込み側と室内もしくは前記室内熱交換器の上流側とを連通する外部通路と、内部通路と外部通路それぞれの通路を開状態と閉状態の何れかに切替える切替手段とを備え、
冷房運転終了後に、前記吸込口開閉機構を動作させて吸込口を閉じ、吹出口開閉機構を動作させて吹出口を閉じ、前記切替手段により内部通路を開状態とし、前記室内熱交換器の少なくとも一部を凝縮器となるように冷凍サイクルを制御するとともに排気装置を作動させて室内ユニット内部を乾燥させる乾燥運転を行なう乾燥運転制御手段、およびこの乾燥運転制御手段による乾燥運転後、冷凍サイクルを停止し、吸込口と吹出口を閉じ内部通路を開状態で、前記オゾン発生装置及び前記排気装置を動作させてクリーン運転を実施するクリーン運転制御手段と、
換気運転指示手段を備え、この換気運転指示手段の指示が入力された時には、空調運転中、空調運転停止中のいずれの場合も前記排気装置の吸込み側に対し、前記切替手段により外部通路を開状態にすると共に内部通路を閉状態にして、前記排気装置を動作させる換気運転制御手段、とを備えたことを特徴とする空気調和機。
【発明の詳細な説明】
【０００１】
【発明の属する技術分野】
本発明は、換気機能を有すると共に、室内ユニット内部における雑菌やかびの繁殖を防止するようにした空気調和機に関する。
【０００２】
【従来の技術】
周知の通り、室外ユニットと室内ユニットとを設けて構成される空気調和機では、その室内ユニットの内部に設けられた室内熱交換器と室内空気との間での熱交換を促進させるために室内ファンを設け、室内ファンにより室内空気を室内ユニット内に吸い込み、吸い込んだ室内空気を室内熱交換器に送り込んで熱交換させ、熱交換後の空気を再び室内に吹き出すようにしている。
【０００３】
このため、室内ユニット内には室内空気といっしょに吸い込まれたごみや埃が、室内ユニット内部壁面や内部に設けられた室内ファンや室内熱交換器等に付着し易く、こうした付着したごみや埃に含まれる雑菌やかびが繁殖するという問題がある。特に、冷房運転や除湿運転停止後には、室内熱交換器やドレンパンにドレン水が付着し、これが室温によって蒸発し、室内ユニット内部が高温多湿になるため、雑菌やかびの繁殖がより多くなるという問題がある。そして、これらの雑菌やかびが繁殖すると、空気調和機の運転時に悪臭を発生させたり、室内にこれら雑菌やかびの胞子が吹き出されたりする可能性もあり、衛生上好ましくない。
【０００４】
そこで、こうした悪臭の発生等の原因となる雑菌やかびの繁殖を防止すべく、冷房運転や除湿運転終了後に所定時間、送風運転または暖房運転を行ない、ドレン水を短時間で蒸発させ、室内に放出することで室内ユニット内部を乾燥させ、雑菌やかびの繁殖を防止するようにした空気調和機が考えられている。しかし、このような空気調和機では、上記のような室内ユニット内部を乾燥させる乾燥運転において室内に高温多湿の空気を吹き出すため、室内の居住者が不快になってしまうという問題が生じてしまう。
【０００５】
また、空気調和機内部にオゾン発生器を設け運転終了後に高い濃度のオゾンを室内ユニット内部に充満させて殺菌するという空気調和機も考えられている。しかし、オゾンはある程度の濃度を超えると人体に悪影響を及ぼす可能性が有るため、このような空気調和機では、室内ユニット内部にのみ充満し、居住者のいる室内には漏れ出さないように密閉する等の手立てが必要であり、室内ユニットを密閉構造にする、あるいは室内ユニット内の空気を外部に排気する等の様々な工夫が図られている。
【０００６】
一方、室内ユニットの内部に排気装置を設け、空調運転と共に室内ユニット内の空気を室外に排気する換気運転を行なうことが可能な空気調和機も実用化されている。
【０００７】
そして、前者のような室内ユニット内部の空気を室外に排気する場合、室内ユニット内部の空気を排気する構成となるため、これを冷暖房運転中に換気運転に利用した場合、室内熱交換器において熱交換された折角の空調空気を室外に排気してしまうことになり、空調運転中に換気運転を行なうという使用の仕方はできないことになる。
【０００８】
また、後者のような室内熱交換器で熱交換した空気とは無関係に、室内の空気を室外に排気する構成では、空調運転中の排気装置による換気運転は可能となるが、その一方では室内ユニット内部の空気を排気する排気運転は行なえないことになる。
【０００９】
【発明が解決しようとする課題】
上記のような状況に鑑みて本発明はなされたもので、その目的とするところは、空調運転中においても空調室内の換気を行なうための換気運転を行なうことができ、また室内ユニット内部の空気を排気する排気運転を行なうこともできて、室内ユニット内の水分を空調室内に放出することなく、室内ユニット内部を乾燥させ、空調室内の湿度を高めずに室内ユニット内の雑菌やかびの繁殖を低減させることができる空気調和機を提供することにある。
【００１０】
【課題を解決するための手段】
本発明の空気調和機は、吹出口、吸込口を備え、内部に室内ファン、室内熱交換器を収納する室内ユニットを有する空気調和機において、
室内ユニットは、吸込口を開閉する吸込口開閉機構と、吹出口を開閉する吹出口開閉機構と、室内ユニットの一側に偏った位置でかつ室内熱交換器の風上側に設けられる電気集塵機の放電電極と兼用したオゾン発生装置と、前記オゾン発生装置と反対側の室内ユニット内の側部に設けられ、室内ユニット内へ吸込む空気を室外に排気する排気装置と、この排気装置の吸込み側と前記室内熱交換器の吸込み空気に対する下流側とを連通する内部通路と、前記排気装置の吸込み側と室内もしくは前記室内熱交換器の上流側とを連通する外部通路と、内部通路と外部通路それぞれの通路を開状態と閉状態の何れかに切替える切替手段とを備え、
前記吸込口開閉機構を動作させて吸込口を閉じ、吹出口開閉機構を動作させて吹出口を閉じ、前記切替手段により内部通路を開状態とし、前記室内熱交換器の少なくとも一部を凝縮器となるように冷凍サイクルを制御するとともに排気装置を作動させて室内ユニット内部を乾燥させる乾燥運転を行なう乾燥運転制御手段と、冷凍サイクルを停止し、吸込口と吹出口を閉じ内部通路を開状態で、前記オゾン発生装置及び前記排気装置を動作させてクリーン運転を実施するクリーン運転制御手段と、換気運転指示手段を備え、この換気運転指示手段の指示が入力された時には、空調運転中、空調運転停止中のいずれの場合も前記排気装置の吸込み側に対し、前記切替手段により外部通路を開状態にすると共に内部通路を閉状態にして、前記排気装置を動作させる換気運転制御手段、とを備えたことを特徴とするものであり、
また、吹出口、吸込口を備え、内部に室内ファン、室内熱交換器を収納する室内ユニットを有する空気調和機において、
室内ユニットは、吸込口を開閉する吸込口開閉機構と、吹出口を開閉する吹出口開閉機構と、室内ユニットの一側に偏った位置でかつ室内熱交換器の風上側に設けられる電気集塵機の放電電極と兼用したオゾン発生装置と、前記オゾン発生装置と反対側の室内ユニット内の側部に設けられ、室内ユニット内へ吸込む空気を室外に排気する排気装置と、この排気装置の吸込み側と前記室内熱交換器の吸込み空気に対する下流側とを連通する内部通路と、前記排気装置の吸込み側と室内もしくは前記室内熱交換器の上流側とを連通する外部通路と、内部通路と外部通路それぞれの通路を開状態と閉状態の何れかに切替える切替手段とを備え、
冷房運転終了後に、前記吸込口開閉機構を動作させて吸込口を閉じ、吹出口開閉機構を動作させて吹出口を閉じ、前記切替手段により内部通路を開状態とし、前記室内熱交換器の少なくとも一部を凝縮器となるように冷凍サイクルを制御するとともに排気装置を作動させて室内ユニット内部を乾燥させる乾燥運転を行なう乾燥運転制御手段、およびこの乾燥運転制御手段による乾燥運転後、冷凍サイクルを停止し、吸込口と吹出口を閉じ内部通路を開状態で、前記オゾン発生装置及び前記排気装置を動作させてクリーン運転を実施するクリーン運転制御手段と、
換気運転指示手段を備え、この換気運転指示手段の指示が入力された時には、空調運転中、空調運転停止中のいずれの場合も前記排気装置の吸込み側に対し、前記切替手段により外部通路を開状態にすると共に内部通路を閉状態にして、前記排気装置を動作させる換気運転制御手段、とを備えたことを特徴とするものである。
【００１１】
【発明の実施の形態】
以下本発明の一実施形態を、図１乃至図８を参照して説明する。
【００１２】
図４において、空気調和機１は、屋外に設置された室外ユニット２と、空気調和を行なう部屋内に設置された室内ユニット３とで構成され、室外ユニット２に設けられた圧縮機４と四方弁５、室外熱交換器６、開度が細かく制御可能な電動膨張弁でなる室外膨張弁７、さらに室内ユニット３に設けられた室内熱交換器８とが冷凍サイクルを形成するように接続され、四方弁５により冷媒の流通方向を切替えることで室内ユニット３が設置された部屋の冷房、暖房等を行なうことができるようになっている。また、室外ユニット２には室外熱交換器６の熱交換を促進する速度可変の室外ファン９が、室内ユニット３には室内熱交換器８の熱交換を促進する速度可変の横流ファンでなる室内ファン１０が設けられている。
【００１３】
さらに、１１は圧縮機４の運転周波数を可変とするよう接続されたインバータで、交流電源１２にメインスイッチ１３を介して接続されている。そして、冷房及び暖房運転を行なっている時には、インバータ１１は室内温度負荷（部屋Ｒの室温と設定温度の差）に応じて制御され、電動膨張弁でなる室外膨張弁７は、その開度が冷凍サイクル状態に応じて制御されるようになっている。なお、図示しないが室外ユニット２と室内ユニット３の各部に交流電源１２からの所要の給電が行なえるようになっている。
【００１４】
また、室内熱交換器８は、図３に示すように後側熱交換部８ａと前側熱交換部８ｂとに分かれており、後側熱交換部８ａと前側熱交換部８ｂとが絞付き二方弁でなる室内絞り弁１４を介して接続されていて、両部間の冷媒の流れを制御することが可能となっている。そして、ここで用いる室内絞り弁１４の絞付き二方弁は、電気的制御によって開度操作が可能な弁で、開状態（ＯＦＦ時：絞りなし）には全開した状態となり、通常の冷房運転や暖房運転の際は、この全開した状態に制御でき、また閉状態（ＯＮ時：絞り有り）、例えば後述する乾燥運転や除湿運転の際には、適正な絞り面積を有する状態に制御できるようになっている。
【００１５】
なお、後側熱交換部８ａ、前側熱交換部８ｂは、いずれも複数枚のアルミニウム製のフィンとこのフィンを蛇行状に貫通した銅パイプから構成された、いわゆるフィンチューブ熱交換器である。そして、後側熱交換部８ａの面積（空気吸込側の面積）は、前側熱交換部８ｂの面積（空気吸込側の面積）よりも小さく形成されている。
【００１６】
このため、乾燥運転や除湿運転の時には、室内絞り弁１４を絞りの有る閉状態にして、室外熱交換器６と前側熱交換部８ｂの間の室外膨張弁７を全開することで、前側熱交換部８ｂを凝縮器（再熱器）となし、後側熱交換部８ａを蒸発器として作用させることができ、室内ユニット３内に吸込まれる空気は、前側熱交換器８ｂで暖められ、後側熱交換器８ａで冷却されることになるので、低温となっている後側熱交換器は８ａにおいて除湿が可能となる。なお、除湿運転の際の室内絞り弁１４の開度（絞り量）設定と、室外ファン９の送風量や圧縮機４の回転数を適切に制御することで、室内ユニット３からの吹き出し空気の温度を細かく調節することができる。
【００１７】
また図４に示すように、両ユニット２，３には、後述する図５に示す基本制御フローチャートに沿った冷凍サイクルの運転を行なうために、それぞれに室外制御部１５と室内制御部１６とが設けられており、両制御部１５，１６は接続線１７によって接続されている。なお、室内制御部１６には、公知の冷房、暖房、除湿運転を制御する各制御手段の他に、後述する乾燥運転やクリーン運転を制御する各制御手段、換気運転を指示する換気運転指示手段が備えられている。そして、接続線１７を介して所要の制御信号、データのやり取りが両制御部１５，１６間で行なわれ、両制御部１５，１６に接続された両ユニット２，３内各部の運転が行われるようになっている。
【００１８】
また室内制御部１６には、室内ユニット３外に設けられたワイヤレスのリモートコントローラ（以下、リモコンと称す）１８から送信される赤外線信号による運転開始や運転終了の指令、使用者が設定した室温や風量、風向、さらにその他の運転に関わる設定内容等を受信する送受信部１９と、空気調和する部屋の室温や湿度を検知するサーミスタからなる温度センサ２０、セラミックで形成された湿度センサ２１が接続されている。なお、リモコン１８には、送受信部１９から室温や運転状況等が送信され、その内容が表示されるようになっている。
【００１９】
一方、室内ユニット３は、図３に示すように空気調和を行なう部屋Ｒの天井近くの壁Ｑに設置され、室外ユニット２とは、壁Ｑに形成された壁開口Ｐａを介し、接続線１７を併設する冷媒配管２２により接続されている。また室内ユニット３は、図１及び図２に示すように、室内熱交換器８を収納すると共に前面パネル２３によって開閉可能な前側開口２４を有し、さらに上部に上向きに開口する上吸込口２５、下部に下向きに開口する吹出口２６が形成された空調機構部分２７ａと、排気機構部分２７ｂに、縦隔壁２７ｃによって区画された横長状筐体の本体ケース２７を備えて構成されており、前方側から見て右側部分に空調機構部分２７ａが設けられ、また左側部分に排気機構部分２７ｂが設けられている。
【００２０】
そして、本体ケース２７の空調機構部分２７ａ内には、室内熱交換器８の他に、軸方向を長手方向とした横長の横流翼２８を室内モータ２９により回転駆動する室内ファン１０が設けられている。なお、この室内ファン１０の室内モータ２９は、複数段の速度切換が可能で、効率が高く、低速でも安定性の高い直流モータを用いているが、交流モータでもよい。
【００２１】
さらに本体ケース２７の空調機構部分２７ａの内部には、前側開口２４及び上吸込口２５から吹出口２６に向かって、室内ファン１０による空気の主通流路３０が形成されている。そして、主通流路３０には、室内ファン１０の上流側に室内熱交換器８が、前側熱交換部８ｂを前側開口２４に対向させるように、また後側熱交換部８ａを前側熱交換部８ｂの上部に連接するようにして本体ケース２７上後部に対向させるようにして配置されている。この時、弧状に形成されている前側熱交換部８ｂは、凸側を前方向にして下端辺縁が主通流路３０の下前部壁部分を構成する隔壁部材３１に設けられた前ドレンパン３２内に位置するように、また後側熱交換部８ａは、下端辺縁が主通流路３０の後部壁部分を構成する背板３３に設けられた後ドレンパン３４内に位置するように設けられている。なお、室内ユニット３の部屋Ｒ内空気の吸込口となる前側開口２４、上吸込口２５と前側熱交換器８ｂの間の主通流路３０内には、温度センサ２０と湿度センサ２１とが配設されている。
【００２２】
また図１に示すように、本体ケース２７の縦隔壁２７ｃによって区画された排気機構部分２７ｂには、本体ケース２７の上面に部屋Ｒ内の空気を本体ケース２７内に取り込むための外部通路を形成する外部開口３５が設けられており、下部には排気機構部分２７ｂに取り込んだ空気を排出するための排気ファン３６ａを排気モータ３６ｂで駆動するようにした排気装置３６が設けられている。また本体ケース２７の背板３３には、排気装置３６の排気口３６ｃが形成されている。そして排気口３６ｃには、図３に示すように壁開口Ｐｂを貫通すると共に屋外Ｏに向けて開口するよう排気ダクト３６ｄが接続されていて、排気装置３６を作動させることで、排気ダクト３６ｄを通じて屋外Ｏに排気することができるようになっている。
【００２３】
さらに、図１に示すように、本体ケース２７を空調機構部分２７ａと排気機構部分２７ｂに区画する縦隔壁２７ｃには、空調機構部分２７ａの室内ファン１０の上流側であって室内熱交換器８の下流側である主通流路３０と、排気機構部分２７ｂの排気装置３６の上流側とを連通させる内部通路を形成する内部開口３７が設けられている。また排気機構部分２７ｂには、外部開口３５と内部開口３７とを、一方を開放したら他方を閉止し、一方を閉止したら他方を開放するよう閉止部材３８ａをダンパモータ３８ｂにより作動させて切替え開閉する開口切替ダンパ３８が設けられている。
【００２４】
そして、開口切替ダンパ３８により冷暖房運転や除湿運転、後述する換気運転の際には、内部開口３７が閉止され、外部開口３５が開放される。すなわち、内部通路が閉状態となって、排気装置３６の吸込み側と室内ファン１０の上流側であって室内熱交換器８の下流側の主通路３０とは連通した状態でなくなり、逆に外部通路が開状態となって排気装置３６の吸込み側は部屋Ｒ内に連通した状態となる。また同じく後述する乾燥運転やクリーン運転、空気調和機１の停止時には、逆に外部開口３５が閉止され、内部開口３７が開放される。すなわち、この場合には内部通路が開状態となって、排気装置３６の吸込み側と室内ファン１０の上流側であって室内熱交換器８の下流側の主通路３０とが連通した状態になり、外部通路が閉状態となって排気装置３６の吸込み側と部屋Ｒ内とが連通した状態でなくなる。
【００２５】
また、前側開口２４を開閉する前面パネル２３は、前方に向けて凸となるよう湾曲した無孔板状のもので、パネル用モータ３９により、例えばラックとピニオンの歯車部材４０を有するパネル駆動機構４１によって前後方向に進退して開閉動作を行なうようになっている。そして冷房、暖房運転や除湿運転の時には前面パネル２３を前進させ、この前進させた状態では、前側開口２４が開放されて吸込口が形成され、室内空気が室内ユニット３内に吸い込まれる。また換気運転や乾燥運転、クリーン運転や停止時には前面パネル２３を後退させ、この後退させた状態では、図２に示すように前側開口２４は閉塞されて、ごみや埃が室内ユニット３内に侵入するのを防止するようになっている。
【００２６】
また上吸込口２５には、上吸込ルーバ４２が上ルーバ用モータ４３によって回動するように設けられていて、上吸込ルーバ４２を回動させることで、上吸込口２５が開閉可能となっている。そして上吸込ルーバ４２は、冷房、暖房運転や除湿運転の時に開回動して、上吸込口２５から室内空気が室内ユニット３内に吸い込まれ、また乾燥運転や停止時には閉回動して上吸込口２５は閉じられ、ごみや埃が室内ユニット３内に侵入するのを防止するようになっている。
【００２７】
一方、吹出口２６にも、左右方向に細長く形成され、左右端が軸支された後吹出ルーバ４４ａと前吹出ルーバ４４ｂとが、後ルーバ用モータ４５ａと前ルーバ用モータ４５ｂとによってそれぞれ上下方向に回動するように設けられていて、後吹出ルーバ４４ａと前吹出ルーバ４４ｂを回動させることで、吹出口２６が開閉可能となっている。また各モータ４５ａ，４５ｂは個々に動作させることが可能となっており、各吹出ルーバ４４ａ，４４ｂを空気調和機１の運転モードに合わせて独立に回動させ、開閉動作させることで、部屋Ｒ内への空調空気の吹き出し方向が上下方向に変えられる。そして、両吹出ルーバ４４ａ，４４ｂを共に閉回動させることで、吹出口２６は閉塞される。
【００２８】
なお、吹出口２６を閉塞する閉塞位置Ｘａ，Ｘｂにあった両吹出ルーバ４４ａ，４４ｂを、空気調和機１の運転モードに合わせ、例えば後吹出ルーバ４４ａでは水平位置Ｙａ、斜め下向き位置Ｗａ、真下向き位置Ｚａに、前吹出ルーバ４４ｂでは水平位置Ｙｂ、斜め下向き位置Ｚｂに開き角度が変えられると共に、さらにそれらの中間位置にも変えられるようになっている。そして、両吹出ルーバ４４ａ，４４ｂの開き角度を運転モードによって変えることで、室内ユニット３から部屋Ｒ内への空調空気の吹き出し方向を所望の方向とすることができる。
【００２９】
さらに、吹出口２６には、両吹出ルーバ４４ａ，４４ｂの上流側近傍に、左右ルーバ４６が上縁を支持部材４７に軸支され、左右ルーバ用モータ４８によって左右方向に回動するように設けられていて、左右ルーバ４６を回動させることで、部屋Ｒ内への空調空気の吹き出し方向が変えられる。
【００３０】
また図１に示すように、室内ユニット３の空調機構部分２７ａには、前面開口２４側から見て内部開口３７が位置する側とは反対側部分となる、室内熱交換器８の前側熱交換部８ｂの向かって前面上部右側部分の偏った位置に、前側熱交換部８ｂの約半分の横幅寸法を有する電気集塵機４９が取り付けられている。この電気集塵機４９は、内部に放電電極５０ａと、アース電位とした集塵電極５０ｂを有し、比較的高い正の第１の高電圧ＶＨ１と、これよりも低い正の第２の高電圧ＶＨ２を発生する第１の高電圧電源５１から放電電極５０ａと集塵電極５０ｂとの間に、２つの正の高電圧ＶＨ１，ＶＨ２をそれぞれ切替えて印加できるようになっている。
【００３１】
そして電気集塵機４９は、オゾン発生装置５２として動作させることができる。オゾン発生装置５２として動作させる場合には、放電電極５０ａに第１の高電圧ＶＨ１を印加して放電させ、オゾンを発生させる。また集塵動作させる場合には、放電電極５０ａと集塵電極５０ｂとの間に第２の高電圧ＶＨ２を印加するようになっている。すなわち、放電電極５０ａと集塵電極５０ｂとの間の電位差は、オゾン発生時の方が集塵時よりも大きなものとなるようになっている。
【００３２】
また一方、室外ユニット２と室内ユニット３に設けられた室外制御部１５と室内制御部１６には、それぞれ図示しないマイクロコンピュータ（Ｃ．Ｐ．Ｕ）が備えられており、それぞれＣ．Ｐ．Ｕに予めプログラムされた内容、あるいは運転に先立って設定された内容に基づき、以下に説明する運転制御が実行されるようになっている。
【００３３】
すなわち、室外制御部１５及び室内制御部１６で行われる運転の基本制御は、図５のフローチャート及び図７、図８の各運転モードにおける各部の動作状態を示す図に沿って、先ず第１ステップＳ１で、図示しないが例えばリモコン１８の冷房運転、暖房運転、除湿運転、さらに換気のみの運転を行なう換気運転の別を選択する運転切換釦、また冷房運転、暖房運転、除湿運転を行なう際に換気を併用するか否かを選択する換気選択釦、さらにまた室温設定する温度釦等を液晶等による表示部に表示された内容を見ながら操作して、公知の空気調和機と略同様に、所望の運転モードの選択を行なう。そして、空気調和機１の運転開始、停止を行なうリモコン１８の図示しない運転釦を操作し、メインスイッチ１３を閉動作させて電源投入し運転を開始する。なお、通常の冷房、暖房運転時や除湿運転時に電気集塵機４９を動作させる場合には同じく図示しない空気清浄釦を随時に操作する。
【００３４】
続いて第２ステップＳ２では、設定された運転モードが何かを判別し、冷房モードであれば第３ステップＳ３の冷房運転制御を、また暖房モードであれば第４ステップＳ４の暖房運転制御を、除湿モードであれば第５ステップＳ５の除湿運転制御を、それぞれ説明を省略するが公知の空気調和機と同様に、各部を図７に示す動作状態のようにして行ない、さらに、換気のみを行なう換気モードであれば第６ステップＳ６の換気運転制御を、各部を図７に示す動作状態のようにして後述するように行なう。そして、第７ステップＳ７での運転終了したか否かの判断で、運転終了の確認なされるまで行なう。そして、第７ステップＳ７で運転終了が確認されたら第８ステップＳ８に進む。
【００３５】
なお、冷房運転、暖房運転、除湿運転を行なう際に換気を併用しない場合（換気ＯＦＦ）には、開口切替ダンパ３８を、外部通路である外部開口３５が開放状態に、内部通路である内部開口３７が閉止部材３８ａにより閉止状態になるよう作動させ、また排気装置３６は、ＯＦＦ状態にして公知の空気調和機と同様の空調運転が行なわれる。
【００３６】
また、換気を併用するよう設定した場合（換気ＯＮ）には、開口切替ダンパ３８を、外部通路の外部開口３５が開放状態に、内部通路の内部開口３７が閉止部材３８ａにより閉止状態になるよう作動させ、また排気装置３６は、ＯＮ状態にして排気モータ３６ｂにより排気ファン３６ａを回転駆動し、外部開口３５を介して排気装置３６の吸込み側に取り込んだ部屋Ｒ内の空気を、排気口３６ｃ、排気ダクト３６ｄを通じて屋外Ｏに排気しながら、公知の空気調和機と同様の空調運転が行なわれる。
【００３７】
すなわち、この時の室内ユニット３における空気の流れは、図１に白抜き実線矢印で示すように、室内ファン１０によって前側開口２４や上吸込口２５を介し室内ユニット３の空調機構部分２７ａ内に吸い込まれ、室内熱交換器８で熱交換されて吹出口２６から部屋Ｒ内に吹き出される流れと、排気装置３６によって外部開口３５を介して部屋Ｒ内から排気機構部分２７ｂ内に取り込まれ、排気口３６ｃから屋外Ｏに排出される流れである。このように、熱交換後の空調空気を排気することなく、部屋Ｒ内の空気を屋外Ｏに排気することができる。
【００３８】
続いて第８ステップＳ８では、直前の運転モードが冷房または除湿運転のモードであったか否かの判断が行われ、冷房または除湿運転であったと判断された場合には、第９ステップＳ９に進む。そして第９ステップＳ９において、後述する乾燥運転処理を実行し、終了後に第１０ステップＳ１０に進む。そして第１０ステップＳ１０において、後述するクリーン運転処理を実行し、終了後に第１１ステップＳ１１に進み、運転終了処理を行ない、各部を図８に示す停止状態に制御する。また第８ステップＳ８で、冷房および除湿運転ではなかったと判断された場合には、第１１ステップＳ１１に進み、運転終了処理を行なう。
【００３９】
以上の通りの基本制御を行なうようにしているので、空気調和機１は通常の冷房運転や暖房運転、除湿運転を行なうことができるほか、冷房運転または除湿運転後に、乾燥運転処理、クリーン運転処理が行なえる。なお、通常の冷房運転や除湿運転を停止させたにもかかわらず、継続して乾燥運転処理、クリーン運転処理が行なわれることに不安がある場合に対応し、乾燥運転処理、クリーン運転処理が行なわれないよう選択できるようにしてもよい。
【００４０】
また、第８ステップＳ８で冷房または除湿運転であったと判断されて進んだ第９ステップＳ９での乾燥運転処理の制御は、図６のフローチャート及び図８の各部の動作状態を示す図に沿って行なわれる。先ず第１ステップＴ１で、各部を図８に示す第１の乾燥運転における動作状態となるように設定する。すなわち、圧縮機４は低速に固定し冷凍能力を低下させた状態にし、室外ファン９は低速固定または低速と停止の切換運転とし、室内ファン１０は停止し、室内絞り弁１４は絞りの無い開状態に、室外膨張弁７はサイクル温度により絞り量を制御するようにし、四方弁５は暖房を行なう位置にしておく。
【００４１】
また室内ユニット３の上吸込ルーバ４２は閉回動して閉状態にし、前面パネル２３も閉状態し、さらに前吹出ルーバ４４ｂも閉位置Ｘｂに、また後吹出ルーバ４４ａも閉位置Ｘａとなるようにする。そして開口切替ダンパ３８は、内部通路の内部開口３７を開放状態にし、外部通路の外部開口３５を閉止部材３８ａにより閉止状態となるようにする。また排気装置３６は、ＯＮ状態にして排気モータ３６ｂにより排気ファン３６ａを回転駆動し、室内ユニット３内の空気を室内熱交換器８の下流側の主通流路３０から内部開口３７を介して吸い込み、排気開口３６ｃ、排気ダクト３６ｄを通じて屋外Ｏに排気するようにする。なお、電気集塵機４９については、ＯＮ状態にして放電電極５０ａに第１の高電圧ＶＨ１を印加しオゾン発生装置５２として運転するようにしてもよく、ＯＦＦ状態でもよい。
【００４２】
次に第２ステップＴ２で、図示しないタイマを３０分間にセットする。そして、続く第３ステップＴ３で、タイマをスタートさせると共に乾燥運転を開始し、セットされた３０分間、乾燥運転を継続する。そして第４ステップＴ４で所定時間経過したか否かの判断を行ない、所定時間が経過した時点で乾燥運転を終了し、第５ステップＴ５に進む。
【００４３】
なお、こうした第１の乾燥運転処理は、次の理由で行なわれる。通常、冷房または除湿運転によって室内ユニッ卜３内部に発生した大量のドレン水は、多くは図示しないドレンホースを経由して室外に排出される。しかしながら、ドレン水の一部が冷房や除湿運転終了後にも前ドレンパン３２や後ドレンパン３４に残ったり、室内熱交換器８等に付着して残ったりし、冷房や除湿運転終了後、室内ユニット３内は侵入した室内空気で温度が上昇し、ドレン水が一気に蒸発を始め、そのままでは室内ユニット３内部の湿度は１００％近くに達することになる。これを解消するために、乾燥運転処理を行なうもので、かびや雑菌にとって絶好の高温多湿の繁殖環境となるのを防止するものである。
【００４４】
また第１の乾燥運転処理は、室内ユニット３内部の高温多湿状態を早急に解消するよう、また高温多湿空気が使用者に届かないよう実行されるようになっている。すなわち、乾燥運転が開始すると、室内ユニット３の前面パネル２３、上吸込ルーバ４２が閉状態となり、後吹出ルーバ４４ａ、前吹出ルーバ４４ｂも閉位置Ｘａ，Ｘｂとなり、多湿状態の室内ユニット３内の空気が部屋Ｒに流れ出ないよう略遮断する。さらに、排気装置３６が起動して室内ユニット３の排気が開始され、同時に室内ユニット３内には図１に白抜き点線矢印で示すように、閉状態の前面パネル２３部分や各ルーバ４２，４４ａ，４４ｂ部分の隙間から室内空気が洩れ込む。
【００４５】
また同時に、室内空気が洩れ込むことと、低能力の暖房サイクルとなることで、冷えていた室内熱交換器８の温度が上昇し、付着していたドレン水が蒸発を始める。そして、排気装置３６の排気動作によって、室内ユニット３内の多湿状態となった空気が、同じく図１に白抜き点線矢印で示すように、主通流路３０から内部通路の内部開口３７に吸い込まれ、排気口３６ｃに接続された排気ダクト３６ｄを通じ、設定された３０分間の所定時間の間に屋外Ｏに排出される。これにより、部屋Ｒ内に多湿空気を流れ出させて使用者に不快感を与えるようなこともなく、室内ユニット３内の多湿状態は解消されることになる。
【００４６】
なお、この乾燥運転において、室内ユニット３内の乾燥の観点からは、電気集塵機４９はＯＮでも、ＯＦＦでもよいが、できればＯＮにしておくことが望ましい。この状態でＯＮにしておけば、内部開口３７に対し室内熱交換器８の反対側となる位置に離隔配置された電気集塵機４９から発生したオゾンが、排出される空気の流れにのって室内熱交換器８の広い範囲を斜めに横切るように流れ、また室内ユニット３内の各部を通過するようにして流れるため、かびや雑菌の増殖を抑制することになる。
【００４７】
また、上記の第１の乾燥運転処理では、圧縮機４の低速で運転し、四方弁５を暖房位置にし、排気装置３６による排気運転によって室内ユニット３内の乾燥を行なっているが、以下に示す第２の乾燥運転処理のように行なってもよい。
【００４８】
すなわち、図６に示すフローチャートにおける第１ステップＴ１で、各部を図８に示す第２の乾燥運転における動作状態となるように設定する。圧縮機４は低速に固定し冷凍能力を低下させた状態にし、室外ファン９は低速固定または低速と停止の切換運転とし、室内ファン１０は停止し、室内絞り弁１４は絞りの有る閉状態に、室外膨張弁７はサイクル温度により絞り量を制御するようにし、四方弁５は冷房を行なう位置にしておく。
【００４９】
その他は、第１の乾燥運転処理と同じく、室内ユニット３の上吸込ルーバ４２は閉回動して閉状態にし、前面パネル２３も閉状態にする。さらに前吹出ルーバ４４ｂも閉位置Ｘｂに、また後吹出ルーバ４４ａも閉位置Ｘａにする。そして開口切替ダンパ３８は、内部通路の内部開口３７を開放状態にし、外部通路の外部開口３５を閉止部材３８ａにより閉止状態となるようにする。また排気装置３６は、ＯＮ状態にして排気モータ３６ｂにより排気ファン３６ａを回転駆動し、室内ユニット３内の空気を主通流路３０から内部開口３７を介して吸い込み、排気開口３６ｃ、排気ダクト３６ｄを通じて屋外Ｏに排気するようにする。なお、電気集塵機４９については、ＯＮ状態にして放電電極５０ａに第１の高電圧ＶＨ１を印加しオゾン発生装置５２として運転するようにしてもよく、ＯＦＦ状態でもよい。
【００５０】
こうした第１ステップＴ１での運転設定を行なった後、第２ステップＴ２以降については、第１の乾燥運転処理と同様の各ステップを実行し、第２の乾燥運転処理を終了し、第５ステップＴ５に進む。
【００５１】
なお、上記第２の乾燥運転処理は、一種の除湿運転で通常の除湿運転と異なり、圧縮機４の回転数を低速固定として冷凍能力を低下させ、室内ファン１０は停止した状態とし、また上吸込ルーバ４２を閉じ、前面パネル２３も閉じ、さらに前吹出ルーバ４４ｂ、後吹出ルーバ４４ａも閉じる。
【００５２】
そして、室内熱交換器８の前側熱交換部８ｂ（凝縮器）の温度を上げ、前側熱交換部８ｂに保水されている水分を蒸発させる。さらに、室内ユニット３内を流れる空気温度を上げ、室内ユニット３内部のドレン水の蒸発を早め、さらに室内ファン１０、吹出口２６及び吹出口２６近辺にある各種ルーバ４４ａ，４４ｂ，４６などの温度を上げて結露を防止している。この結果、室内ユニット３内の水分は急速に蒸発する。そして、蒸発した室内ユニット３内の水分を後側熱交換部８ａ（蒸発器）で凝縮させ、ドレン水として回収するようにし、また同時に多湿状態の空気を排気装置３６により屋外Ｏに排出する。
【００５３】
すなわち、冷房運転においては、いずれも蒸発器である後側熱交換器部８ａ、前側熱交換器部８ｂに凝縮した室内空気中の水分が、各ドレンパン３２，３４に落下して室外に排出される。しかしながら、冷房運転終了時には、両熱交換部８ａ，８ｂにはある程度の凝縮水が残った状態になる。ここで第２の乾燥運転に入り室内絞り弁１４を閉状態にすると、室内熱交換器８を２つに分けた一方の後側熱交換部８ａのみが蒸発器となり、他方の前側熱交換部８ｂは凝縮器となって、前側熱交換部８ｂに残った凝縮水が蒸発し、再び後側熱交換部８ａで凝縮して後ドレンパン３４へと落下し室外に排出される。
【００５４】
また同時に、室内ファン１０を停止し、内部通路の内部開口３７を開放状態にして排気装置３６を作動させているので、室内ユニット３内部の多湿状態の空気は排気装置３６によって屋外Ｏに排出される。この結果、室内ユニット３内部の湿度を効率良く低減でき、さらに極力密閉状態とした室内ユニット３からは部屋Ｒ内への空気の吹き出しがなく、部屋Ｒ内の湿度を高める虞がない。
【００５５】
なお、この第２の乾燥運転処理においても、室内ユニット３内の乾燥の観点からは、電気集塵機４９はＯＮにしておくことが望ましい。この状態でＯＮにしておけば、内部開口３７に対し離隔配置された電気集塵機４９から発生したオゾンが、排出される空気の流れにのって室内熱交換器８の広い範囲を斜めに横切るように流れ、また室内ユニット３内の各部を通過するようにして流れるため、かびや雑菌の増殖を抑制することになる。
【００５６】
上記のように第１の乾燥運転あるいは第２の乾燥運転の何れかの乾燥運転を行なった後、第５のステップＴ５に進み、この第５のステップＴ５以降のクリーン運転処理の制御は、図６のフローチャート及び図８の各部の動作状態を示す図に沿って行なわれる。先ず第５ステップＴ５で、各部を図８に示すクリーン運転における動作状態となるように設定する。
【００５７】
すなわち、圧縮機４と室外ファン９はＯＦＦ状態にし、室内ファン１０は停止状態にしておく。また室内ユニット３の上吸込ルーバ４２は閉回動して閉状態にし、前面パネル２３も閉状態し、さらに前吹出ルーバ４４ｂも閉位置Ｘｂに、また後吹出ルーバ４４ａも閉位置Ｘａとなるようにする。そして開口切替ダンパ３８は、内部通路の内部開口３７を開放状態にし、外部通路の外部開口３５を閉止部材３８ａにより閉止状態となるようにする。また排気装置３６は、ＯＮ状態にして排気モータ３６ｂにより排気ファン３６ａを回転駆動し、室内ユニット３内の空気を室内熱交換器８の下流側の主通流路３０から内部開口３７を介して吸い込み、排気開口３６ｃ、排気ダクト３６ｄを通じて屋外Ｏに排気するようにする。またさらに電気集塵機４９については、ＯＮ状態にして放電電極５０ａに第１の高電圧ＶＨ１を印加しオゾン発生装置５２として運転するようにしておく。
【００５８】
次に第６ステップＴ６で、図示しないタイマを３０分間にセットする。そして、続く第７ステップＴ７で、タイマをスタートさせると共にクリーン運転を開始し、セットされた３０分間、クリーン運転を継続する。そして第８ステップＴ８で所定時間経過したか否かの判断を行ない、所定時間が経過した時点でクリーン運転を終了して第９ステップＴ９に進み、空気調和機１の運転終了の処理を行なう。
【００５９】
このクリーン運転を行なうことで、乾燥運転を行なった後の室内ユニット３内を、内部開口３７に対し室内熱交換器８の反対側となる位置に離隔配置された電気集塵機４９から発生したオゾンが、排気ファン３６ａの運転により排出される空気の流れにのって、室内熱交換器８の広い範囲を斜めに横切るように流れ、また室内ユニット３内の各部を通過するようにして流れて屋外Ｏへ排出されるため、かびや雑菌の増殖を抑制することになる。
【００６０】
また、第２ステップＳ２で判別した設定運転モードが換気のみの運転を行なう換気モードで、第６ステップＳ６の換気運転制御であった場合は、各部を図７に示す動作状態のように、圧縮機４と室外ファン９、さらに室内ファン１０を停止状態にしておき、また室内ユニット３の上吸込ルーバ４２は閉回動して閉状態にし、前面パネル２３も閉状態し、さらに前吹出ルーバ４４ｂも閉位置Ｘｂに、また後吹出ルーバ４４ａも閉位置Ｘａにする。
【００６１】
そして開口切替ダンパ３８は、内部通路である内部開口３７を閉止部材３８ａにより閉止状態にし、外部通路である外部開口３５を開放状態にする。また排気装置３６は、ＯＮ状態にして排気モータ３６ｂにより排気ファン３６ａを回転駆動し、部屋Ｒ内の空気を、外部開口３５を介して吸い込み、排気開口３６ｃ、排気ダクト３６ｄを通じて屋外Ｏに排気する。なお、電気集塵機４９については、ＯＦＦ状態にしておく。
【００６２】
各部を、それぞれ上記のような状態にして換気運転を行なうので、換気運転の開始によって、室内ユニット３の前面パネル２３、上吸込ルーバ４２が閉状態となり、後吹出ルーバ４４ａ、前吹出ルーバ４４ｂも閉位置Ｘａ，Ｘｂとなり、さらに内部開口３７が閉止状態となって、室内ユニット３の空調機構部分２７ａ内が、部屋Ｒと排気機構部分２７ｂとから略遮断された状態になる。そして、排気装置３６が起動し、部屋Ｒの排気、すなわち部屋Ｒ内の換気のみが行なわれる。
【００６３】
なお、上記の実施形態においては、冷房運転と除湿運転の後に第１の乾燥運転処理、第２の乾燥運転処理を行なうように、室外制御部１５及び室内制御部１６で制御しているが、空気調和機１の運転を開始する際、空気調和運転に先立って、各部を図８に示す第１の乾燥運転、あるいは第２の乾燥運転における動作状態に設定し、両制御部１５，１６による制御のもとに、室内ユニット３内空気の排出運転を予め設定した所定の時間だけ実行するようにしてもよい。そして、このような事前の排気運転を行なうことでも、その効果は若干少なくなるものの上記実施形態と同様に、室内ユニット３内の乾燥を行なうことができ、室内ユニット３内の雑菌やかびの繁殖を低減させることができる。
【００６４】
また、上記の実施形態においては、冷房又は除湿運転の後に乾燥運転、すなわち第１の乾燥運転あるいは第２の乾燥運転を行ない、さらにその後にクリーン運転を行なうようにしたが、使用者がリモコン１８を通じて適宜に選択することによって、冷房又は除湿運転の後に限らず、必要に応じて第１の乾燥運転あるいは第２の乾燥運転、クリーン運転をそれぞれ単独、あるいは組み合わせて運転できるように構成してもよい。このようにすることで、室内ユニット３内における菌やかびの繁殖低減に対し、よりきめこまかく対応することが可能となる。
【００６５】
さらに、上記の実施形態においては、乾燥運転の際に前面パネル２３、上吸込ルーバ４２、後吹出ルーバ４４ａ、前吹出ルーバ４４ｂを閉状態にし、前側開口２４や上吸込口２５、吹出口２６を閉じるようにしたが、前側開口２４や上吸込口２５を閉じ、吹出口２６を開けるようにしたり、また逆に、前側開口２４や上吸込口２５を開け、吹出口２６を閉じるようにしたり等、さらに各口の一部に開閉機構を設けていないものでも、効果は減ずるものの同様の効果を得ることができる。
【００６６】
なおまた、上記の実施形態においては、内部通路の内部開口３７を室内熱交換器８の下流側であって、室内ファン１０の上流側の主通流路３０に開口するよう縦隔壁２７ｃに設けたが、室内ファン１０の吐出側（下流側）の主通流路３０に開口するよう縦隔壁２７ｃに設けるようにしてもよい。このような構成において、排気ファン３６ａを運転しながら室内ファン１０を運転することにより、室内ファン１０の吐出側の圧力が高められ、排気ファン３６ａによる排気時の排気量を増加させることができる。
【００６７】
また、上記の実施形態においては、外部通路の外部開口３５を本体ケース２７の上面に形成したが、例えば図３に２点鎖線で示すように、外部開口３５′を室内熱交換器８の上流側の前側開口２４との間の主通流路３０に開口するよう縦隔壁２７ｃに設け、開放状態にした前側開口２４を介して部屋Ｒ内の空気を、排気装置３６の吸込み側に吸い込むように構成してもよい。この場合、前側開口２４を介して部屋Ｒ内の空気を吸い込むため、換気のみ行なう換気運転の際にも、前面パネル２３を開状態にする。また上記実施形態においては、開口切替ダンパ３８の同じ閉止部材３８ａで、外部開口３５と内部開口３７を交互に切替開閉したが、２つの閉止部材３８ａ′、閉止部材３８ａを外部開口３５′と内部開口３７に対してそれぞれ独立に設け、対応する開口３５′，３７をそれぞれ切替開閉するように構成してもよい。
【００６８】
また、上記の実施形態においては、電気集塵機４９を放電電極５０ａに印加する電圧を変えることでオゾン発生装置５２として機能させるようにしたが、オゾン発生装置５２を独立して設けるようにしてもよい。
【００６９】
【発明の効果】
以上の説明から明らかなように、本発明によれば、空調運転中においても空調室内の換気を行なうための換気運転を行なうことができ、また室内ユニット内部の空気を排気する排気運転を行なうこともでき、さらに室内ユニット内の水分を空調室内に放出せずに室内ユニット内部を乾燥でき、空調室内の湿度を高めずに室内ユニット内の雑菌やかびの繁殖を低減させることができる等の効果を奏する。
【図面の簡単な説明】
【図１】本発明の一実施形態における室内ユニットを示す正面図である。
【図２】本発明の一実施形態における室内ユニットを示す斜視図である。
【図３】本発明の一実施形態における室内ユニットの縦断面図である。
【図４】本発明の一実施形態の制御回路図である。
【図５】本発明の一実施形態の基本制御のフローチャートである。
【図６】本発明の一実施形態における乾燥運転処理、クリーン運転処理時のフローチャートである。
【図７】本発明の一実施形態における冷房、暖房、除湿、換気の各運転モードにおける各部の動作状態を一覧にして示す図である。
【図８】本発明の一実施形態における乾燥、クリーンの各運転モード及び停止時における各部の動作状態を一覧にして示す図である。
【符号の説明】
３…室内ユニット
８…室内熱交換器
８ａ…後側熱交換部
８ｂ…前側熱交換部
１０…室内ファン
１６…室内制御部
２３…前面パネル
２４…前側開口
２５…上吸込口
２６…吹出口
３５…外部開口
３６…排気装置
３７…内部開口
３８…開口切替ダンパ
４１…パネル駆動機構
４２…上吸込ルーバ
４３…上ルーバ用モータ
４４ａ…後吹出ルーバ
４４ｂ…前吹出ルーバ
４５ａ…後ルーバ用モータ
４５ｂ…前ルーバ用モータ
４９…電気集塵機
５０ａ…放電電極
５２…オゾン発生装置
【図１】
0003576149.tif 000002
【図２】
0003576149.tif 000003
【図３】
0003576149.tif 000004
【図４】
0003576149.tif 000005
【図５】
0003576149.tif 000006
【図６】
0003576149.tif 000007
【図７】
0003576149.tif 000008
【図８】
0003576149.tif 000009